(57)【要約】【課題】    自動的且つ効率的にコンピュータ筐体内で生成された熱をコンピュータ筐体の外へと排出する放熱ゲートを備えた、放熱機能付コンピュータ筐体の提供。【解決手段】    本発明の放熱機能付コンピュータ筐体は、本体と放熱ゲートを含み、該本体は１つ以上の開口部を備え、該開口部の向かい合う２つの側面上に２つの支持部を設けると共に、該放熱ゲートは該支持部間に設置され、複数の回転翼、伝動装置、モータから構成され、各回転翼は該支持部に連結された軸部を備え、該複数の回転翼が該支持部間で回動可能に軸支され、該伝動装置は該複数の回転翼を同時に回動させ、該モータが該伝動装置を駆動する構成により、該放熱ゲートで該開口部の開き具合を制御し、コンピュータ筐体内で発生する熱を該コンピュータ筐体の外に排出する。【選択図】    図1
2007026259.tif 000002
【特許請求の範囲】
【請求項１】
本体と、放熱ゲートを含み、そのうち、該本体が開口部と、該開口部のその向かい合う二つの側面上にそれぞれ設置された２つの支持部を備え、該放熱ゲートが、複数の回転翼と、伝動装置と、モータを含んで成り、そのうち、該複数の回転翼のそれぞれが該２つの支持部に連結される軸部を備え、該軸部により該複数の回転翼が該２つの支持部間で回動可能に軸支され、該伝動装置が該複数の回転翼を同時に回動させ、該モータが、該本体内部の温度に基づき該伝動装置を駆動する、放熱機能付コンピュータ筐体。
【請求項２】
前記放熱ゲートがさらに、該２つの支持部に設置されたファンを含む、請求項１に記載の放熱機能付コンピュータ筐体。
【請求項３】
前記伝動装置が、該モータの出力軸に設置された主動ホイールと、複数の受動ホイールと、複数のベルトを含んで成り、該複数の受動ホイールそれぞれが該複数の回転翼の各軸部にそれぞれ設置され、該複数のベルトが、該主動ホイールと複数の受動ホイールそれぞれを相互に連結し、該主動ホイールと該複数の受動ホイールを同時に動かす、請求項１または２に記載の放熱機能付コンピュータ筐体。
【請求項４】
本体と、２つの放熱ゲートを含み、そのうち、該本体が２つの開口部を備え、各該開口部がその向かい合う二つの側面上にそれぞれ設置された２つの支持部を備え、各該２つの放熱ゲートが、複数の回転翼と、伝動装置と、モータを含んで成り、該複数の回転翼のそれぞれが、該２つの開口部に設けた該２つの支持部に連結される軸部を備え、該軸部により該複数の回転翼が該２つの開口部の該２つの支持部間で回動可能に軸支され、該伝動装置が該複数の回転翼を同時に回動させ、該モータが該本体内部の温度に基づき該伝動装置を駆動させる、放熱機能付コンピュータ筐体。
【請求項５】
前記２つの放熱ゲートがさらに、該２つの開口部それぞれの該２つの支持部に設置したファンを含む、請求項４に記載の放熱機能付コンピュータ筐体。
【請求項６】
前記２つの開口部のうち一方の開口部が他方の開口部に向かい合って設置された、請求項５に記載の放熱機能付コンピュータ筐体。
【請求項７】
前記伝動装置が、該モータの出力軸に設置された主動ホイールと、複数の受動ホイールと、複数のベルトを含んで成り、該複数の受動ホイールそれぞれが該複数の回転翼の各軸部にそれぞれ設置され、該複数のベルトが、該主動ホイールと複数の受動ホイールそれぞれを相互に連結し、該主動ホイールと該複数の受動ホイールを同時に動かす、請求項４または５に記載の放熱機能付コンピュータ筐体。 
【請求項８】
本体と、放熱ゲートを含み、そのうち、該本体が開口部と、該開口部のその向かい合う二つの側面上にそれぞれ設置された２つの支持部を備え、該放熱ゲートが、複数の回転翼と、伝動装置と、モータを含んで成り、そのうち、該複数の回転翼のそれぞれが該２つの支持部に連結される軸部を備え、該軸部により該複数の回転翼が該２つの支持部間で回動可能に軸支され、該伝動装置が該複数の回転翼のうち少なくとも１つを回動させ、該モータが、該本体内部の温度に基づき該伝動装置を駆動する、放熱機能付コンピュータ筐体。
【請求項９】
本体と、放熱ゲートを含み、そのうち、該本体が開口部と、該開口部のその向かい合う二つの側面上にそれぞれ設置された２つの支持部を備え、該放熱ゲートが、複数の回転翼と、伝動装置と、モータを含んで成り、そのうち、該複数の回転翼のそれぞれが該２つの支持部に連結される軸部を備え、該軸部により該複数の回転翼が該２つの支持部間で回動可能に軸支され、該伝動装置が該複数の回転翼を同時に回動させ、該モータが、前記本体内に空気の流動を形成するためのファンの駆動と連動して該伝動装置を駆動する、放熱機能付コンピュータ筐体。
【発明の詳細な説明】
【技術分野】
【０００１】
本発明はコンピュータ筐体に関し、詳細には、放熱機能を備えたコンピュータ筐体に関する。
【背景技術】
【０００２】
従来のコンピュータは、背面パネルにファンを組み込み、コンピュータ内に設置されたデバイスが動作中に発生する熱を外部に排出している。CPU等のデバイスが消費する電力は大きく増加しており、前面パネルにファンを追加設置したコンピュータが必要となっている。
【発明の開示】
【発明が解決しようとする課題】
【０００３】
しかしながら、ファンはその動作において騒音を発生し、この騒音が何の防護措置もないまま使用者に直接届く。このような騒音環境に長期間いることにより、使用者の聴力が騒音によるダメージを受けるだけでなく、使用者の気分まで影響を受けることがある。
【０００４】
そこで、本発明の主な目的は、自動的且つ効率的にコンピュータ筐体内で生成された熱をコンピュータ筐体の外へと排出する放熱ゲートを備えた、放熱機能付コンピュータ筐体を提供することにある。    
【課題を解決するための手段】
【０００５】
本発明の放熱機能付コンピュータ筐体は、本体と放熱ゲートを含んで成り、そのうち、本体は１つ以上の開口部と、この開口部の両側に形成された２つの支持部を備え、放熱ゲートは、２つの支持部間に設置され、それぞれが軸部により支持部に回動可能に軸支された複数の回転翼と、各回転翼を同時に回転させる伝動装置と、この伝動装置を駆動するモータから構成される。  
【発明の効果】
【０００６】
上述の構成により、コンピュータの様々な放熱の必要性に応じ、放熱ゲートの回転翼により開口部の開きを制御して、コンピュータ筐体内の熱を効率的にコンピュータ筐体の外へ逃がすことができる。
【発明を実施するための最良の形態】
【０００７】
本発明についてより理解を深めるため、以下、図面に基づき本発明の放熱機能付コンピュータ筐体について具体的に説明する。
【実施例１】
【０００８】
図１に本発明の実施例１のコンピュータ筐体１を示す。このコンピュータ筐体１は、本体２と放熱ゲート３を含んで成る。本体２の前面パネル２ａは方形の開口部２０を備え、この開口部２０の両側に支持部２１が設けられている。
【０００９】
さらに、放熱ゲート３は複数の回転翼３０と、伝動装置３１と、モータ３２を含んで成る。各回転翼３０は軸部３００を備え、この軸部３００により開口部２０両側の支持部２１に軸支される。これにより、回転翼３０は軸部３００を支点として回動可能となる。伝動装置３１は、動作時に騒音が発生しないベルト型伝動装置とすることが望ましい。この伝動装置３１は、各回転翼３０を同時に回動させるための動力を伝えるために用いられ、モータ３２側に設けられる主動ホイール３１０と、複数の受動ホイール３１１と、複数のベルト３１２から構成される。この主動ホイール３１０はモータ３２の出力軸３２１に設置され、各受動ホイール３１１は各回転翼３０の軸部３００に対応してそれぞれ設置される。さらに、ベルト３１２で主動ホイール３１０と受動ホイール３１１を相互に連結し、主動ホイール３１０と受動ホイール３１１を同時動作可能にする。特に、図１に示すように、ベルト３１２のうち１本が主動ホイール３１０と受動ホイール３１１のうちの１つに巻きつけられ、各受動ホイール３１１とその隣接する受動ホイール３１１とに別のベルト３１２それぞれ巻きつけられる。
【００１０】
モータ３２は、本体２の内部温度に基づき伝動装置３１を駆動するために用いられる。モータ３２がオンになると、回転翼３０が伝動装置３１により出力軸３２１、主動ホイール３１０、受動ホイール３１１、ベルト３１２を介して同時に回動される。これにより、開口部２０の開き具合（開状態、若しくは開口率）が回転翼３０の回動角度により決定される。つまり、放熱ゲート３が開口部２０の開き具合を決定するということである。
【００１１】
図２に示すように、本発明の実施例１はさらに支持部２１の内側に設置されたファン３３を含む。開口部２０を一定の開状態に形成するために各回転翼３０がモータ３２からの動力により回動すると、本体２内に空気の流動を形成するためにファン３３が動作する。反対に、開口部２０の開状態を閉状態にするために各回転翼３０が回動されると、ファン３３は停止する。これにより、コンピュータホストに放熱制御機能がインストールされてさえいれば、本体２の内部温度に基づきモータ３２の正逆方向への回転を制御できる。つまり、本体２の内部温度により放熱ゲート３の開き具合が決定されるということである。本体２内部の温度が高温になると、放熱ゲート３が大きく開放、または全開の状態になるよう制御され、迅速に熱を排出することができる。逆に、本体２内部の温度が低温になると、放熱ゲート３が小さく開放、または閉じた状態になるよう制御され、ファン３３の騒音を低減することができる。
【００１２】
また、本実施例では、本体２の内部温度の検出結果に対してモータ３２を駆動することにより回転翼３０を回動させているが、このモータ３２の駆動をファン３３の駆動と連動させるように構成してもよい。例えば、ファン３３は通常、本体２内の内部温度により駆動されるので、ファン３３の駆動に伴ってモータ３２を駆動させるように制御し、回転翼３０を回動させる。このように構成することで、既存のファン３３による放熱機能が設けられているコンピュータ等に対して容易に適用可能となる。さらには、ファン３３の駆動出力に応じてモータ３２の出力を制御すれば、本体２内の内部温度に応じた開口部２０の開口状態を好適にでき、騒音防止のための回転翼３０の回動制御がより簡略化される。
【実施例２】
【００１３】
図３に本発明の実施例２を示す。この実施例２は前述の実施例１に対して、２つの開口部２０と２つの放熱ゲート３が設けられている。具体的にはこの実施例２において、開口部２０は相互に向かい合う位置に１つずつ設けられ、これら２つの開口部２０に放熱ゲート３がそれぞれ設置される。さらに、放熱ゲート３のうち１つはコンピュータ筐体１内部に外部空気を導入するために用いられ、その反対側の放熱ゲート３は、内部の熱をコンピュータ筐体１の外へ排出するために用いられる。このため、コンピュータ筐体１内の熱が放熱ゲート３から効果的に排出され、コンピュータ筐体１内の空気が循環される。
【実施例３】
【００１４】
図４に本発明の実施例３を示す。この実施例３は前述の実施例１において放熱ゲート３に枠体３４が設けられている実施形態である。この枠体３４は、開口部２０への組み込みと、ファン３との連結に用いられる。枠体３４はその向かい合う両側にそれぞれ設けた２つの支持部３４０を備え、一方の支持部３４０と別の一方の支持部３４０が向かい合うよう設けられる。回転翼３０の軸部３００が支持部３４０にそれぞれ連結され、回転翼３０が支持部３４０間で回動可能となる。
【００１５】
以上において、本発明の構造と機能の詳細と共に数々の特徴と利点を説明し、本発明の新規的特徴を添付の特許請求の範囲においても示すが、これらの説明は例示のみであり、本発明の要旨の範囲内で、添付の特許請求の範囲が意味するところの最大限において、特に形状や大きさ、部材の配置、材料及びそれらの組み合わせなどの詳細を変更することが可能である。
【００１６】
また、上記各実施例では、複数の回転翼３０を全て同時に回動させているが、例えば、本体２の内部温度に応じて４つの回転翼３０のうち、２つの回転翼３０のみを回動させて開口部２０の開き具合を制御することも可能である。このように構成することで、モータ３２の出力負荷を軽減することができ、モータ３２の電力消費及び騒音の低減することができる。
【００１７】
例えば、本体２内の内部温度に応じて図１に示す４つの回転翼３０のうち、上下の２つの回転翼３０をモータ３２からの第１の駆動力により同時に回動するように受動ホイール３１１、ベルト３１２を構成し、内部温度が高温状態である場合は、第１の駆動力よりも大きい第２の駆動力がモータ３２から出力されると、残りの２つの回転翼３０の受動ホイール３１１に該第２の駆動力が伝達されるように受動ホイール３１１及びベルト３１２を構成する。具体的には、伝達装置３１に歯車、ベアリングなどにより構成されるギア機構を設け、第１の駆動力により回転する受動ホイール１１１が一定の回転量（回転翼３０が開状態となる際の受動ホイール１１１の回転量）に達すると、残りの２つの回転翼３０に対応する受動ホイールがモータ３２からの第２の駆動力に応じて回転するように構成する。
【図面の簡単な説明】
【００１８】
【図１】本発明の実施例１の立体斜視図である。
【図２】本発明の実施例１の回転翼の動作を示す側面図である。
【図３】本発明の実施例２の側面図である。
【図４】本発明の実施例３の立体斜視図である。
【符号の説明】
【００１９】
１        コンピュータ筐体
２        本体
３        放熱ゲート
２０      開口部
２１      支持部
３０      回転翼
３００    軸部
３１      伝動装置
３１０    主動ホイール
３１１    受動ホイール
３１２    ベルト
３２      モータ
３２１    出力軸
３３      ファン
３４      枠体
３４０    支持部
【図１】
2007026259.tif 000003
【図２】
2007026259.tif 000004
【図３】
2007026259.tif 000005
【図４】
2007026259.tif 000006